(57)【要約】【課題】複数の薬品が一覧表示される画面において要注意薬品を容易に識別することが可能な薬剤業務支援システム、薬剤業務支援プログラム及び薬剤業務支援方法を提供すること。【解決手段】薬剤業務支援システム１０は、過去の疑義照会の事例の情報が蓄積された疑義照会明細情報Ｄ１５及び過去のインシデントの事例の情報が蓄積されたインシデント事例データの少なくとも一方に基づいて、複数の薬品の各々が要注意薬品であるか否かを判定する判定処理部１１１と、前記複数の薬品の薬品名の一覧を含む画面を、前記要注意薬品の薬品名と非要注意薬品の薬品名とを識別可能な表示形態で表示装置２４又は表示装置１４に表示させる表示処理部１１２とを備える。【選択図】図１
2019021269.tif 000002
【特許請求の範囲】
【請求項１】
過去の疑義照会の事例の情報が蓄積された疑義照会事例データ及び過去のインシデントの事例の情報が蓄積されたインシデント事例データの少なくとも一方の事例データに基づいて、複数の薬品の各々が要注意薬品であるか否かを判定する判定処理部と、
前記複数の薬品の薬品識別情報の一覧を含む画面を、前記要注意薬品の前記薬品識別情報と非要注意薬品の前記薬品識別情報とを識別可能な表示形態で表示部に表示させる表示処理部と、
を備える薬剤業務支援システム。
【請求項２】
前記判定処理部は、前記薬品に関連する事例の件数に基づいて、前記薬品が前記要注意薬品であるか否かを判定する、
請求項１に記載の薬剤業務支援システム。
【請求項３】
前記判定処理部は、前記薬品を処方した医師に関連する事例の件数に基づいて、前記薬品が前記要注意薬品であるか否かを判定する、
請求項１又は請求項２に記載の薬剤業務支援システム。
【請求項４】
前記判定処理部は、前記事例データに含まれる事例ごとの危険度を示す情報に基づいて、前記薬品が前記要注意薬品であるか否かを判定する、
請求項１〜３のいずれかに記載の薬剤業務支援システム。
【請求項５】
前記表示処理部は、前記要注意薬品の前記薬品識別情報を強調表示させる、
請求項１〜４のいずれかに記載の薬剤業務支援システム。
【請求項６】
前記表示処理部は、前記要注意薬品の前記薬品識別情報に対応する位置に、前記要注意薬品であることを示す報知画像を表示させる、
請求項１〜５のいずれかに記載の薬剤業務支援システム。
【請求項７】
前記判定処理部は、前記疑義照会事例データに基づいて第１要注意薬品を判定すると共に、前記インシデント事例データに基づいて第２要注意薬品を判定し、
前記表示処理部は、前記第１要注意薬品の前記薬品識別情報に対応する位置に、前記第１要注意薬品であることを示す第１報知画像を表示させると共に、前記第２要注意薬品の前記薬品識別情報に対応する位置に、前記第２要注意薬品であることを示す第２報知画像を表示させる、
請求項６に記載の薬剤業務支援システム。
【請求項８】
前記画面が、患者に処方又は投与される一又は複数の薬品の薬品識別情報の一覧を含む画面であり、
前記表示処理部は、疑義照会済みの薬品については、前記薬品が前記第１要注意薬品であったとしても前記第１報知画像を表示させない、
請求項７に記載の薬剤業務支援システム。
【請求項９】
前記表示処理部は、前記報知画像が操作されたことに応じて、前記要注意薬品に関連する疑義照会又はインシデントの事例に関する情報を前記表示部に表示させる、
請求項６〜８のいずれかに記載の薬剤業務支援システム。
【請求項１０】
前記表示処理部は、前記報知画像が操作されたことに応じて、前記要注意薬品に関連する疑義照会又はインシデントの事例の件数を表示させる、
請求項９に記載の薬剤業務支援システム。
【請求項１１】
前記表示処理部は、前記要注意薬品に関連する疑義照会又はインシデントの事例の件数を予め定められた項目別に表示させる、
請求項１０に記載の薬剤業務支援システム。
【請求項１２】
前記表示処理部は、前記報知画像が操作されたことに応じて、前記要注意薬品に関連する疑義照会又はインシデントの事例に関する情報を前記表示部に表示させると共に、当該操作された前記報知画像を非表示にする、
請求項９〜１１のいずれかに記載の薬剤業務支援システム。
【請求項１３】
前記表示処理部は、前記第１報知画像が操作されたことに応じて、前記第１要注意薬品に関連する疑義照会の事例において実施された対処方法を前記表示部に表示させる、
請求項７又は請求項８に記載の薬剤業務支援システム。
【請求項１４】
前記画面が、特定の患者に処方された薬品の薬品識別情報の一覧が表示される処方鑑査画面、又は特定の患者に投与される薬品の薬品識別情報の一覧が表示される薬歴画面である、
請求項１〜１３のいずれかに記載の薬剤業務支援システム。
【請求項１５】
特定の患者に対する処方内容を示す処方データに含まれる複数の薬品の薬品識別情報の一覧を含む画面を表示部に表示させる表示処理部と、
過去に疑義照会が行われた薬品が登録されている疑義照会事例データ及び過去にインシデントが発生した薬品が登録されているインシデント事例データの少なくとも一方の事例データに基づいて、前記複数の薬品の各々が要注意薬品であるか否かを判定する判定処理部とを備え、
前記表示処理部は、前記要注意薬品の前記薬品識別情報と非要注意薬品の前記薬品識別情報とを識別可能な表示形態で前記画面を前記表示部に表示させる、
薬剤業務支援システム。
【請求項１６】
一又は複数のコンピュータに、
過去の疑義照会の事例の情報が蓄積された疑義照会事例データ及び過去のインシデントの事例の情報が蓄積されたインシデント事例データの少なくとも一方の事例データに基づいて、複数の薬品の各々が要注意薬品であるか否かを判定する処理と、
前記複数の薬品の薬品識別情報の一覧を含む画面を、前記要注意薬品の前記薬品識別情報と非要注意薬品の前記薬品識別情報とを識別可能な表示形態で表示部に表示させる処理と、
を実行させるための薬剤業務支援プログラム。
【請求項１７】
過去の疑義照会の事例の情報が蓄積された疑義照会事例データ及び過去のインシデントの事例の情報が蓄積されたインシデント事例データの少なくとも一方の事例データに基づいて、複数の薬品の各々が要注意薬品であるか否かを判定することと、
前記複数の薬品の薬品識別情報の一覧を含む画面を、前記要注意薬品の前記薬品識別情報と非要注意薬品の前記薬品識別情報とを識別可能な表示形態で表示部に表示させることと、
を含む薬剤業務支援方法。
【発明の詳細な説明】
【技術分野】
【０００１】
本発明は、薬剤業務支援システム、薬剤業務支援プログラム及び薬剤業務支援方法
に関する。
【背景技術】
【０００２】
患者に処方すべき薬品を医師が選択して指示情報として登録すると、前記薬品に関連するインシデントが検索され、前記インシデントの発生頻度が多い場合に、前記インシデントの発生件数を示すメッセージと前記薬品と同じ薬効の代替薬品とが表示される医療事故防止支援システムが知られている（例えば、特許文献１参照）。
【先行技術文献】
【特許文献】
【０００３】
【特許文献１】特開２００６−３２３６２０号公報
【発明の概要】
【発明が解決しようとする課題】
【０００４】
しかしながら、前記医療事故防止支援システムは、医師によって選択された特定の薬品に関連するインシデントの発生件数等を表示するに過ぎず、例えば処方鑑査画面又は薬歴画面のように複数の薬品が一覧表示される画面において要注意薬品を容易に識別可能とするものではない。
【０００５】
本発明の目的は、複数の薬品が一覧表示される画面において要注意薬品を容易に識別することが可能な薬剤業務支援システム、薬剤業務支援プログラム及び薬剤業務支援方法を提供することにある。
【課題を解決するための手段】
【０００６】
本発明の薬剤業務支援システムは、過去の疑義照会の事例の情報が蓄積された疑義照会事例データ及び過去のインシデントの事例の情報が蓄積されたインシデント事例データの少なくとも一方の事例データに基づいて、複数の薬品の各々が要注意薬品であるか否かを判定する判定処理部と、前記複数の薬品の薬品識別情報の一覧を含む画面を、前記要注意薬品の前記薬品識別情報と非要注意薬品の前記薬品識別情報とを識別可能な表示形態で表示部に表示させる表示処理部とを備える。
【０００７】
本発明の他の薬剤業務支援システムは、特定の患者に対する処方内容を示す処方データに含まれる複数の薬品の薬品識別情報の一覧を含む画面を表示部に表示させる表示処理部と、過去に疑義照会が行われた薬品が登録されている疑義照会事例データ及び過去にインシデントが発生した薬品が登録されているインシデント事例データの少なくとも一方の事例データに基づいて、前記複数の薬品の各々が要注意薬品であるか否かを判定する判定処理部とを備え、前記表示処理部は、前記要注意薬品の前記薬品識別情報と非要注意薬品の前記薬品識別情報とを識別可能な表示形態で前記画面を前記表示部に表示させる。
【０００８】
本発明の薬剤業務支援プログラムは、一又は複数のコンピュータに、過去の疑義照会の事例の情報が蓄積された疑義照会事例データ及び過去のインシデントの事例の情報が蓄積されたインシデント事例データの少なくとも一方の事例データに基づいて、複数の薬品の各々が要注意薬品であるか否かを判定する処理と、前記複数の薬品の薬品識別情報の一覧を含む画面を、前記要注意薬品の前記薬品識別情報と非要注意薬品の前記薬品識別情報とを識別可能な表示形態で表示部に表示させる処理とを実行させるためのプログラムである。
【０００９】
本発明の薬剤業務支援方法は、過去の疑義照会の事例の情報が蓄積された疑義照会事例データ及び過去のインシデントの事例の情報が蓄積されたインシデント事例データの少なくとも一方の事例データに基づいて、複数の薬品の各々が要注意薬品であるか否かを判定することと、前記複数の薬品の薬品識別情報の一覧を含む画面を、前記要注意薬品の前記薬品識別情報と非要注意薬品の前記薬品識別情報とを識別可能な表示形態で表示部に表示させることとを含む。
【発明の効果】
【００１０】
本発明によれば、複数の薬品が一覧表示される画面において要注意薬品を容易に識別することが可能な薬剤業務支援システム、薬剤業務支援プログラム及び薬剤業務支援方法が実現される。
【図面の簡単な説明】
【００１１】
【図１】図１は、本発明の実施形態に係る薬剤業務支援システムの構成を示すブロック図である。
【図２】図２は、本発明の実施形態に係る薬剤業務支援システムで使用されるチェック種別マスターの一例を示す図である。
【図３】図３は、本発明の実施形態に係る薬剤業務支援システムで使用される患者情報の一例を示す図である。
【図４】図４は、本発明の実施形態に係る薬剤業務支援システムで使用される処方チェックエラー情報の一例を示す図である。
【図５】図５は、本発明の実施形態に係る薬剤業務支援システムで使用される疑義照会記録情報の一例を示す図である。
【図６】図６は、本発明の実施形態に係る薬剤業務支援システムで使用される疑義照会明細情報の一例を示す図である。
【図７】図７は、本発明の実施形態に係る薬剤業務支援システムで実行される報知画像表示処理の手順の一例を示すフローチャートである。
【図８】図８は、本発明の実施形態に係る薬剤業務支援システムで表示される処方鑑査画面の一例を示す図である。
【図９】図９は、本発明の実施形態に係る薬剤業務支援システムで表示される薬歴画面の一例を示す図である。
【図１０】図１０は、本発明の実施形態に係る薬剤業務支援システムで表示される疑義照会件数画面の一例を示す図である。
【図１１】図１１は、本発明の実施形態に係る薬剤業務支援システムで表示される疑義照会一覧画面の一例を示す図である。
【図１２】図１２は、本発明の実施形態に係る薬剤業務支援システムで表示される疑義照会記録画面の一例を示す図である。
【図１３】図１３は、本発明の実施形態に係る薬剤業務支援システムで表示されるインシデント件数画面の一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定する性格のものではない。
【００１３】
［薬剤業務支援システム１０］
図１に示されるように、本発明の実施の形態に係る薬剤業務支援システム１０は、サーバー１、クライアント端末２、調剤機器３、及びプリンター４を備える。前記クライアント端末２は、調剤薬剤師により処方データに基づく調剤が行われる調剤室１００、病棟薬剤師により薬剤の服薬に関する指導又は確認が行われる病棟２００などに設けられる。
【００１４】
前記サーバー１、前記クライアント端末２、前記調剤機器３、及び前記プリンター４は、通信網５を介して無線又は有線で通信可能に接続される。前記通信網５は、ＬＡＮ、ＷＡＮ、インターネット、又はイントラネットなどである。また、前記サーバー１には、処方内容を示す処方データ及び患者の情報を示す患者データなどを前記サーバー１に入力する電子カルテシステム、オーダーリングシステム、又はレセプトシステムなどの上位システム６が前記通信網５を介して接続される。前記処方データには、例えば患者の氏名、性別、年齢、病棟、担当医師、担当薬剤師などの基本情報、及び患者に処方する薬品の種類、用量、用法などの情報が含まれる。なお、前記サーバー１が前記上位システム６から前記処方データ及び前記患者データを読み出す構成であってもよい。例えば、前記サーバー１は、前記上位システム６の予め設定された記憶装置内の処方データ記憶領域に前記処方データが記憶されたか否かを監視しており、前記処方データ記憶領域に前記処方データが記憶された場合に前記処方データを取得する。
【００１５】
［調剤機器３］
前記調剤機器３各々は、前記薬剤業務支援システム１０が使用される病院又は薬局等の医療機関において、薬品の調剤作業で使用される。例えば、前記調剤機器３各々は、錠剤分包機、散薬分包機、水剤分注機、ＰＴＰシート払出装置、又は混注装置などである。
【００１６】
［プリンター４］
前記プリンター４は、前記サーバー１、前記クライアント端末２から前記通信網５を介して入力される印刷データに含まれる情報を紙などのシートに印刷する。例えば、前記プリンター４は、前記薬剤業務支援システム１０における処方箋又は薬袋の印刷などに用いられる。
【００１７】
［サーバー１］
前記サーバー１は、制御部１１、記憶部１２、通信Ｉ／Ｆ１３、表示装置１４、操作装置１５、及びドライブ装置１６などを備えるコンピュータである。なお、前記サーバー１は、前記薬剤業務支援システム１０が使用される病院又は薬局等の医療機関の内部又は外部に設けられる。また、前記サーバー１は、スマートフォン又はタブレット端末などのモバイル端末であってもよい。
【００１８】
前記制御部１１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００１９】
前記記憶部１２は、前記制御部１１によって実行される各種のアプリケーションプログラム及び各種のデータが記憶されるハードディスク又はＳＳＤ等の不揮発性の記憶部である。具体的に、前記記憶部１２には、プログラム記憶部１２１、マスター記憶部１２２、及び情報記憶部１２３が含まれる。
【００２０】
前記プログラム記憶部１２１は、後述の報知画像表示処理（図７参照）を前記制御部１１に実行させるための薬剤業務支援プログラムが記憶される記憶領域である。なお、前記プログラム記憶部１２１には、オペレーティングシステム（ＯＳ）及びブラウザソフトなどのアプリケーションプログラムも記憶される。
【００２１】
前記マスター記憶部１２２は、薬品マスター、患者マスター、薬剤師マスター、処方箋区分マスター、診療科マスター、病棟マスター、チェック種別マスターＤ１１などの各種のマスター情報が記憶される記憶領域である。例えば、前記薬品マスターには、各種の薬品について、薬品コード（ＹＪコード等）、薬品名、ＪＡＮコード、ＲＳＳコード、薬瓶コード、剤形、単位、比重、薬品種、配合変化、賦形薬品、注意事項などの情報が含まれる。前記患者マスターには、各患者について、例えば患者名、患者ＩＤ、性別、年齢、飲酒有無、及び喫煙有無、及び病名などの情報が含まれる。前記薬剤師マスターには、前記医療機関で業務を行う薬剤師の薬剤師コード、薬剤師名、担当病棟、及び管理者権限の有無などの情報が含まれる。
【００２２】
ここに、図２は、前記チェック種別マスターＤ１１の一例を示す図である。図２に示されるように、前記チェック種別マスターＤ１１には、前記薬剤業務支援システム１０において実施される各種のチェックの種別ごとに、チェックすべきチェック内容が記憶されている。具体的に、図２に示される前記チェック種別マスターＤ１１には、前記処方データについて調剤前に実施される処方チェックの際にチェックされるべきチェック内容として、「同薬品」、「同薬効」、「同成分」、「相互作用（警告）」、「相互作用（禁忌）」、「簡易懸濁不可」、「禁忌症」などが、それらのチェック内容に対応する「区分値」と共に記憶されている。例えば、「相互作用」は、前記処方データにおける薬品の組み合わせに関するチェックである。また、「禁忌症」は、前記処方データに含まれる薬品が患者に処方してよい薬品であるか否かのチェックであって、患者の病名などに基づいて行われる。なお、前記処方チェックは、例えば前記サーバー１が前記上位システム６から前記処方データを取得した際、前記処方データについて調剤が開始される際、又はユーザーによる処方チェック要求時などに、前記制御部１１によって実行される。なお、前記処方チェックについては従来周知の各種手法を用いればよいため、ここでは詳細な説明を省略する。
【００２３】
なお、前記制御部１１は、前記マスター記憶部１２２に記憶されている各種のマスター情報を、前記上位システム６から取得する情報に基づいて随時更新可能である。また、前記制御部１１は、前記サーバー１、前記クライアント端末２を用いたユーザー操作に応じて前記各種のマスター情報を編集することも可能である。
【００２４】
前記情報記憶部１２３は、前記処方データ、患者情報Ｄ１２、処方チェックエラー情報Ｄ１３、疑義照会記録情報Ｄ１４、疑義照会明細情報Ｄ１５などの各種の情報が記憶される記憶領域である。前記処方データは、前記制御部１１により前記上位システム６から取得されて前記情報記憶部１２３に記憶される。
【００２５】
ここに、図３は前記患者情報Ｄ１２の一例を示す図、図４は処方チェックエラー情報Ｄ１３の一例を示す図、図５は前記疑義照会記録情報Ｄ１４の一例を示す図、図６は前記疑義照会明細情報Ｄ１５の一例を示す図である。
【００２６】
図３に示されるように、前記患者情報Ｄ１２には、患者ごとに「病名コード」、「病名」などの疾患情報が記憶されている。「病名コード」は、疾患を識別するための識別コードである。
【００２７】
前記処方チェックエラー情報Ｄ１３は、前記処方チェックにおいてエラーが検出された場合に随時に保存される情報である。図４に示されるように、前記処方チェックエラー情報Ｄ１３では、前記処方チェックの際に検出されたエラー内容が、前記処方データに対応付けて記憶されている。具体的に、図４に示される前記処方チェックエラー情報Ｄ１３には、「処方番号」、「オーダー番号」、「患者ＩＤ」、「薬品コード」、「薬品名」、「疑義」、「処方チェック種別区分」、「エラー内容」などの情報が記憶されている。「処方番号」及び「オーダー番号」は、前記エラーが検出された前記処方データを示す情報である。「薬品コード」及び「薬品名」は、前記エラーに関連する薬品を示す情報である。「疑義」は、前記エラーに対して疑義照会が行われたか否かを示す情報であり、「１」の値は疑義照会が行われたことを示し、「０」の値は疑義照会が行われていないことを示す。「処方チェック種別区分」は、前記処方チェックに含まれるどのチェック内容で前記エラーが検出されたかを示す情報であり、前記チェック種別マスターＤ１１における「区分値」のいずれかの値が設定される。「エラー内容」は、前記エラーの内容を示す情報である。
【００２８】
前記疑義照会記録情報Ｄ１４は、前記処方データについての疑義照会が行われた場合に随時に保存される情報である。図５に示される前記疑義照会記録情報Ｄ１４には、「疑義番号」、「処方番号」、「オーダー番号」、「患者ＩＤ」などの情報が記憶されている。「疑義番号」は、個々の疑義照会を識別するための番号である。
【００２９】
前記疑義照会明細情報Ｄ１５では、前記疑義照会の対象となった前記エラーごとに、前記エラーに対する対処方法などの情報が記憶されている。図６に示される前記疑義照会明細情報Ｄ１５には、前記エラーごとに、「疑義番号」、「疑義明細番号」、「薬品コード」、「薬品名」、「エラー内容」、「報告者コメント」などの情報が記憶されている。「疑義明細番号」は、前記疑義照会の対象となった複数の前記エラーを相互に識別するための番号である。「エラー内容」は、前記処方チェックエラー情報Ｄ１３における「エラー内容」と同じ情報である。「報告者コメント」は、前記疑義照会を行った報告者のコメント内容（具体的には、前記エラーに対する対処方法）を示す情報であって、後述の疑義照会記録画面Ｐ５（図１２参照）のコメント欄Ｒ１５に入力された内容を示している。前記疑義照会明細情報Ｄ１５は、過去の疑義照会の事例の情報が蓄積された疑義照会事例データの一例である。なお、前記疑義照会明細情報Ｄ１５には、前記エラーごとに危険度又は重要度を示す情報が含まれてもよい。また、前記疑義照会明細情報Ｄ１５には、他の医療機関において行われた疑義照会の事例の情報が含まれていてもよい。
【００３０】
なお、図示は省略するが、前記情報記憶部１２３には、過去のインシデント（ヒヤリハットとも呼ばれる）の事例の情報が蓄積されたインシデント事例データが記憶される。前記インシデント事例データには、例えば、前記インシデントごとに、「インシデント番号」、「薬品コード」、「薬品名」、「エラー内容」、「報告者コメント」などの情報が記憶されている。「インシデント番号」は、個々のインシデントを識別するための番号である。「エラー内容」は、前記インシデントの内容を示す情報であり、例えば、「規格量違い薬品を投薬」、「類似薬品名を投薬」、「患者間違い（同姓同名）」、「曜日指定の間違い」などのエラーが含まれる。「報告者コメント」は、前記インシデントを報告した報告者のコメントを示す情報である。なお、前記インシデント事例データには、前記インシデントごとに危険度又は重要度を示す情報が含まれてもよい。また、前記インシデント事例データには、他の医療機関において報告されたインシデントの事例の情報が含まれていてもよい。
【００３１】
前記通信Ｉ／Ｆ１３は、前記通信網５を介して前記クライアント端末２、前記調剤機器３、及び前記プリンター４などの外部機器との間で、予め定められた通信プロトコルに従って無線又は有線でデータ通信を実行するネットワークカード等を有する通信インターフェースである。
【００３２】
前記表示装置１４は、前記制御部１１からの制御指示に従って各種の情報を表示する液晶ディスプレイ又は有機ＥＬディスプレイなどの表示部である。前記操作装置１５は、前記サーバー１に各種の情報を入力するためにユーザーによって操作される操作部である。具体的に、前記操作装置１５は、前記表示装置１４に表示される各種の操作画面における入力操作を受け付けるキーボード及びマウス（ポインティングデバイス）を含む。また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００３３】
前記ドライブ装置１６は、前記薬剤業務支援プログラムが記録されたコンピュータ読み取り可能な記録媒体１６１から前記薬剤業務支援プログラムを読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記薬剤業務支援プログラムが前記記憶部１２の前記プログラム記憶部１２１に記憶され、前記サーバー１にインストールされる。これにより、前記制御部１１では、前記ＣＰＵが、前記プログラム記憶部１２１に記憶されている前記薬剤業務支援プログラムを前記ＲＡＭに展開しつつ実行することが可能となる。
【００３４】
そして、前記サーバー１の前記制御部１１は、判定処理部１１１及び表示処理部１１２を含む。具体的に、前記制御部１１は、前記薬剤業務支援プログラムに従って各種の処理を実行することにより、前記判定処理部１１１及び前記表示処理部１１２として機能する。
【００３５】
前記判定処理部１１１は、複数の薬品の各々について、前記疑義照会明細情報Ｄ１５（すなわち、過去の疑義照会の事例の情報が蓄積された疑義照会事例データ）及び前記インシデント事例データの少なくとも一方の事例データに基づいて、前記薬品が要注意薬品であるか否かを判定する。例えば、前記判定処理部１１１は、後述の処方鑑査画面Ｐ１（図８参照）又は後述の薬歴画面Ｐ２（図９参照）に表示される複数の薬品の各々について、前記薬品が前記要注意薬品であるか否かを判定する。前記処方鑑査画面Ｐ１は、特定の患者に処方された薬品（すなわち、特定の患者に対する処方内容を示す処方データに含まれる薬品）の薬品識別情報の一覧が表示される画面である。前記薬歴画面Ｐ２は、特定の患者に投与される薬品の薬品識別情報の一覧が表示される画面である。
【００３６】
前記判定処理部１１１による前記要注意薬品の判定方法としては、種々の判定方法が考えられる。例えば、前記判定処理部１１１は、前記事例データに含まれる前記薬品に関連する事例の件数に基づいて、前記薬品が前記要注意薬品であるか否かを判定してもよい。例えば、前記判定処理部１１１は、前記疑義照会明細情報Ｄ１５に含まれる前記薬品に関連する疑義照会の事例の件数が予め定められた判定閾値（例えば、２件）以上である場合に、前記薬品が前記要注意薬品であると判定してもよい。また、前記判定処理部１１１は、前記インシデント事例データに含まれる前記薬品に関連するインシデントの事例の件数が前記判定閾値以上である場合に、前記薬品が前記要注意薬品であると判定してもよい。なお、前記判定閾値は、１件であってもよいし、３件以上であってもよい。また、前記判定閾値は、ユーザーが任意の値に変更可能であってもよい。
【００３７】
前記判定処理部１１１による前記要注意薬品の判定方法の他の例として、前記判定処理部１１１は、前記事例データに含まれる前記薬品を処方した医師に関連する事例の件数に基づいて、前記薬品が前記要注意薬品であるか否かを判定してもよい。例えば、前記判定処理部１１１は、前記疑義照会明細情報Ｄ１５に含まれる前記医師に関連する疑義照会の事例の件数が多いほど、前記判定閾値を小さくしてもよい。これにより、疑義照会の件数が多い医師によって処方された薬品ほど、前記要注意薬品であると判定されやすくなる。
【００３８】
前記判定処理部１１１による前記要注意薬品の判定方法のさらに他の例として、前記判定処理部１１１は、前記事例データに含まれる事例ごとの危険度を示す情報に基づいて前記要注意薬品を判定してもよい。例えば、前記判定処理部１１１は、前記疑義照会明細情報Ｄ１５に含まれる前記薬品に関連する疑義照会の事例うちの前記危険度が特定レベル以上（例えば、「中」又は「高」）の事例の件数に基づいて、前記薬品が前記要注意薬品であるか否かを判定してもよい。
【００３９】
前記表示処理部１１２は、前記複数の薬品の薬品識別情報（例えば、薬品名、薬品コード、薬品画像など）の一覧を含む画面（例えば、前記処方鑑査画面Ｐ１、前記薬歴画面Ｐ２など）を、前記要注意薬品の前記薬品識別情報とその他の薬品（非要注意薬品）の前記薬品識別情報とを識別可能な表示形態で、前記クライアント端末２の後述の表示装置２４に表示させる。他の実施形態では、前記表示処理部１１２は、前記画面を前記表示装置１４に表示させてもよい。前記表示装置２４又は前記表示装置１４は表示部の一例である。
【００４０】
前記表示処理部１１２による前記薬品識別情報の表示態様としては、種々の表示態様が考えられる。例えば、前記表示処理部１１２は、前記要注意薬品の前記薬品識別情報を強調表示させてもよい。例えば、前記表示処理部１１２は、図８に示される前記処方鑑査画面Ｐ１のように、前記要注意薬品（ここでは、「Ａ薬品」、「マイスリー５ｍｇ」、及び「Ｅ薬品」）の薬品名の背景色を、通常の背景色（例えば、白色）とは異なる色（例えば、赤色）に変更してもよい。また、前記表示処理部１１２は、前記要注意薬品の前記薬品識別情報を示す文字の色、太さ、又はサイズを、通常とは異なる色、太さ、又はサイズに変更してもよい。また、前記表示処理部１１２は、前記画面において前記要注意薬品の前記薬品識別情報を識別可能に表示させるために、前記要注意薬品の前記薬品識別情報に対応する位置に、前記要注意薬品であることを示す報知画像を表示させてもよい。前記報知画像は、例えば、アイコン、記号、図形などである。例えば、前記表示処理部１１２は、前記処方鑑査画面Ｐ１に表示される前記要注意薬品の薬品名に対応する位置に、図８に示される第１アイコンＫ１１及び第２アイコンＫ１２のようなアイコンを表示させてもよい。
【００４１】
なお、前記判定処理部１１１は、前記疑義照会明細情報Ｄ１５（前記疑義照会事例データ）に基づいて第１要注意薬品を判定すると共に、前記インシデント事例データに基づいて第２要注意薬品を判定してもよい。前記第１要注意薬品は、関連する疑義照会事例が前記疑義照会明細情報Ｄ１５に含まれている前記要注意薬品であり、前記第２要注意薬品は、関連するインシデント事例が前記インシデント事例データに含まれている前記要注意薬品である。そして、前記表示処理部１１２は、前記第１要注意薬品の前記薬品識別情報に対応する位置に、前記第１要注意薬品であることを示す第１報知画像（例えば、図８に示される第１アイコンＫ１１）を表示させると共に、前記第２要注意薬品の前記薬品識別情報に対応する位置に、前記第２要注意薬品であることを示す第２報知画像（例えば、図８に示される第２アイコンＫ１２）を表示させてもよい。なお、図８に示される「マイスリー５ｍｇ」には第１アイコンＫ１１及び第２アイコンＫ１２の両方のアイコンが表示されているが、これは、「マイスリー５ｍｇ」が前記第１要注意薬品及び前記第２要注意薬品の両方に該当することを示している。
【００４２】
なお、前記画面が、患者に処方又は投与される一又は複数の薬品の薬品識別情報の一覧を含む画面（例えば、前記処方鑑査画面Ｐ１、前記薬歴画面Ｐ２など）である場合に、前記表示処理部１１２は、疑義照会済みの薬品については、前記薬品が前記第１要注意薬品であったとしても前記第１報知画像を表示させないようにしてもよい。例えば、図８に示される前記処方鑑査画面Ｐ１において、「Ｃ薬品」は前記第１要注意薬品及び前記第２要注意薬品の両方に該当するが、当該「Ｃ薬品」の所定欄（すなわち、図８において「疑」と表示されている欄）には疑義照会済みであることを示す「済」の文字が記載されている。この場合、「Ｃ薬品」については第１アイコンＫ１１は表示されず、第２アイコンＫ１２のみが表示されてもよい。なお、前記制御部１１は、例えば、前記疑義照会記録情報Ｄ１４及び前記疑義照会明細情報Ｄ１５に基づいて、疑義照会済みの薬品と疑義照会されていない薬品とを判別してもよい。もしくは、前記制御部１１は、前記処方データに含まれる薬品識別情報ごとに、疑義照会済みであるか否かを示すフラグを前記処方データと関連付けて情報記憶部１２３等に記憶させて随時に更新し、当該フラグに基づいて疑義照会済みの薬品と疑義照会されていない薬品とを判別してもよい。
【００４３】
また、前記制御部１１は、前記処方鑑査画面Ｐ１における第１アイコンＫ１１に対してマウスの右クリックなどの所定の操作が行われたことに応じて、各入力欄に何も入力されていない状態の前記疑義照会記録画面Ｐ５を表示してもよい。そして、前記制御部１１は、前記疑義照会明細情報Ｄ１５の各入力欄にデータが入力された後に「登録」キーが操作されたことに応じて、前記処方データにおける前記第１アイコンＫ１１に対応する薬品に関する疑義照会済みフラグがセットされてもよい。そして、前記処方鑑査画面Ｐ１において、前記第１アイコンＫ１１に対応する薬品の前記所定欄（すなわち、図８において「疑」と表示されている欄）に、疑義照会済みであることを示す「済」の文字が表示されてもよい。
【００４４】
また、前記表示処理部１１２は、前記報知画像が操作（例えば、クリック、タッチなど）されたことに応じて、前記要注意薬品に関連する疑義照会又はインシデントの事例に関する情報を前記表示装置２４又は前記表示装置１４に表示させてもよい。例えば、前記表示処理部１１２は、前記報知画像が操作されたことに応じて、前記要注意薬品に関連する疑義照会又はインシデントの事例の件数を表示させてもよい。また、前記表示処理部１１２は、前記要注意薬品に関連する疑義照会又はインシデントの事例の件数を予め定められた項目別に表示させてもよい。また、前記表示処理部１１２は、前記報知画像が操作されたことに応じて、前記要注意薬品に関連する疑義照会又はインシデントの事例に関する情報を前記表示装置２４又は前記表示装置１４に表示させると共に、当該操作された前記報知画像を非表示にしてもよい。例えば、各処方データの各薬品ごとに、前記報知画像を非表示にすべきか否かを示すフラグが設けられ、前記薬品に関する疑義照会が行われた場合、前記薬品に対応する前記報知画像が操作された場合、前記薬品に関連する疑義照会又はインシデントの事例に関する情報が表示された場合などに前記フラグがセットされてもよい。そして、前記表示処理部１１２は、前記フラグがセットされている場合には、前記薬品が前記要注意薬品であったとしても前記報知画像を表示させないようにしてもよい。また、前記表示処理部１１２は、前記報知画像が操作されたことに応じて、前記要注意薬品の前記薬品識別情報に対応する位置に、前記報知画像が操作済みであることを示す画像を表示させてもよい。また、前記表示処理部１１２は、前記第１報知画像が操作されたことに応じて、前記第１要注意薬品に関連する疑義照会の事例において実施された対処方法を前記表示部に表示させてもよい。例えば、前記表示処理部１１２は、図８に示される「Ａ薬品」に対応する第１アイコンＫ１１が操作されたことに応じて、図１０に示されるような疑義照会件数画面Ｐ３を表示させてもよい。図１０に示されるような疑義照会件数画面Ｐ３では、「Ａ薬品」に関連する疑義照会の事例の件数が、エラー内容と病名と対処方法の組み合わせごとに、件数が多い順に表示されている。なお、図１０に示される疑義照会件数画面Ｐ３では「Ａ薬品とＢ薬品で相互作用エラー」という１種類のエラー内容だけが表示されているが、疑義照会件数画面Ｐ３に複数種類のエラー内容が表示されてもよい。この場合、前記表示処理部１１２は、例えば、合計件数が多い順番にエラー内容を表示してもよい。もしくは、前記表示処理部１１２は、危険度が高い事例の件数が多い順番にエラー内容を表示してもよい。
【００４５】
［クライアント端末２］
一方、前記クライアント端末２は、制御部２１、記憶部２２、通信Ｉ／Ｆ２３、表示装置２４、操作装置２５、及びドライブ装置２６などを備えるコンピュータである。前記クライアント端末２は、例えば、調剤が行われる調剤室１００、患者が入院する病棟２００などに設けられ、薬剤師などによって用いられる操作端末である。なお、前記クライアント端末２は、スマートフォン又はタブレット端末などのモバイル端末であり、病院又は薬局等の医療機関において薬剤師などのユーザーによって持ち運ばれるものであってもよい。
【００４６】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００４７】
前記記憶部２２は、前記制御部２１によって実行される各種のアプリケーションプログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網５を介して前記サーバー１にアクセスすることにより前記表示装置２４に各種の操作画面などを表示させると共に、前記操作装置２５を用いた前記操作画面に対する入力操作を前記サーバー１に伝達するためのアプリケーションソフトウェアである。具体的に、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００４８】
前記通信Ｉ／Ｆ２３は、前記通信網５を介して前記サーバー１、前記調剤機器３、及び前記プリンター４などの外部機器との間で、予め定められた通信プロトコルに従って無線又は有線でデータ通信を実行するネットワークカード等を有する通信インターフェースである。
【００４９】
前記表示装置２４は、前記制御部２１からの制御指示に従って各種の情報を表示する液晶ディスプレイ又は有機ＥＬディスプレイなどの表示部である。前記操作装置２５は、前記クライアント端末２に各種の情報を入力するためにユーザーによって操作される操作部である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。
【００５０】
前記ドライブ装置２６は、前記ＯＳ又は前記ブラウザソフトなどが記録されたコンピュータ読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置２６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記記憶部２２の前記プログラム記憶部２２１に記憶され、前記クライアント端末２にインストールされる。これにより、前記制御部２１では、前記ＣＰＵが、前記プログラム記憶部２２１に記憶されている前記ＯＳ又は前記ブラウザソフトなどを前記ＲＡＭに展開しつつ実行することが可能となる。
【００５１】
そして、前記薬剤業務支援システム１０では、ユーザーによる前記クライアント端末２の操作に応じて、薬剤業務に関する各種処理（例えば、薬剤業務に関する各種情報の表示、記録、及び印刷など）が実行可能である。具体的に、本実施形態では、前記サーバー１と前記クライアント端末２とによりサーバクライアントシステムが構成されており、前記サーバー１が前記クライアント端末２のユーザー操作に応じて後述の報知画像表示処理を実行する場合について説明する。そのため、以下に説明する「表示」、「操作」、「選択」、及び「入力」などは、前記クライアント端末２の前記表示装置２４及び前記操作装置２５を用いて行われる。
【００５２】
一方、前記サーバー１が、前記表示装置１４及び前記操作装置１５を用いて前記報知画像表示処理を実行することも可能であり、前記サーバー１単体を本発明に係る薬剤業務支援システムとして捉えてもよい。さらに、前記クライアント端末２を本発明に係る薬剤業務支援システムとして捉えてもよい。即ち、前記クライアント端末２に、前記薬剤業務支援プログラムの一部又は全部がインストールされており、前記クライアント端末２の前記制御部２１が、前記サーバー１から必要な情報を適宜取得して、前記報知画像表示処理を実行することも考えられる。
【００５３】
［報知画像表示処理］
次に、図７を参照しつつ、前記サーバー１の前記制御部１１によって実行される報知画像表示処理について説明する。前記報知画像表示処理は、例えば前記サーバー１又は前記クライアント端末２に対するユーザー操作に応じて開始され、前記薬剤業務支援プログラムに従って前記制御部１１によって実行される。なお、本発明は、前記報知画像表示処理を実行することにより薬剤業務を支援するための薬剤業務支援方法の発明として捉えてもよい。
【００５４】
＜ステップＳ１０＞
まず、ステップＳ１０において、前記制御部１１は、薬剤師などのユーザーの操作に応じて処方データを選択する。例えば、前記制御部１１は、ユーザーによって入力される処方ＩＤに基づいて処方データを選択してもよい。もしくは、前記制御部１１は、ユーザーによって入力される患者名に基づいて当該患者に対応する処方データを一覧表示し、当該一覧表示された処方データの中からユーザーの操作に応じて１つの処方データを選択してもよい。
【００５５】
前記薬剤業務支援システム１０では、前記処方データの内容を表示するための処方鑑査画面Ｐ１（図８参照）が表示される。また、前記薬剤業務支援システム１０では、前記処方データに対する前記処方チェックが実施された後に、チェック結果を示すエラー画面（不図示）が表示される。前記エラー画面には、前記処方チェックで検出されたエラー項目の内容が表示される。また、前記エラー画面には、前記エラー項目について医師に対して疑義照会を行った結果を入力するための疑義照会キーと、前記処方データに対応する患者の薬歴を表示するための薬歴キーとが表示されている。前記疑義照会キーが操作されると、前記エラー項目について医師に対し疑義照会をした結果に関する疑義照会情報を入力するための疑義照会記録画面Ｐ５（図１２参照）が表示される。そして、前記疑義照会記録画面Ｐ５に対するユーザー操作（例えば、「登録」キーの操作）に応じて、前記疑義照会明細情報Ｄ１５が前記情報記憶部１２３に記録される。前記薬歴キーが操作されると、前記処方データに対応する患者の薬歴を表示する薬歴画面Ｐ２（図９参照）が表示される。
【００５６】
このように、前記薬剤業務支援システム１０では、前記処方鑑査画面Ｐ１、前記エラー画面、前記疑義照会記録画面Ｐ５、前記薬歴画面Ｐ２などの各種画面をユーザー操作に応じて任意に切り替えて表示させることが可能である。
【００５７】
＜ステップＳ１１＞
ステップＳ１１において、前記制御部１１は、画面切り替え操作が行われたか否かを判断する。例えば、前記疑義照会キー、前記薬歴キーなどの操作キーの操作が検知された場合に、前記制御部１１は、前記画面切り替え操作が行われたと判断する。そして、前記画面切り替え操作が行われたと判断されると（Ｓ１１：Ｙｅｓ）、処理がステップＳ１２に移行する。一方、前記画面切り替え操作が行われていないと判断されると（Ｓ１１：Ｎｏ）、前記画面切り替え操作が行われたと判断されるまで当該ステップＳ１１の処理が繰り返される。
【００５８】
＜ステップＳ１２＞
ステップＳ１２において、前記制御部１１は、前記画面切り替え操作による切り替え後の画面が特定画面であるか否かを判断する。前記特定画面は、複数の薬品の薬品識別情報（例えば、薬品名など）の一覧を含む画面であって、本実施形態では、前記処方鑑査画面Ｐ１又は前記薬歴画面Ｐ２である。そして、前記画面切り替え操作による切り替え後の画面が前記特定画面であると判断されると（Ｓ１２：Ｙｅｓ）、処理がステップＳ１３に移行する。一方、前記画面切り替え操作による切り替え後の画面が前記特定画面ではないと判断されると（Ｓ１２：Ｎｏ）、処理が前記ステップＳ１１に戻る。
【００５９】
本実施形態において前記特定画面として表示される前記処方鑑査画面Ｐ１及び前記薬歴画面Ｐ２は、前記マスター記憶部１２２に記憶されている各種のマスター情報、及び前記情報記憶部１２３に記憶されている前記処方データ、患者情報Ｄ１２などの各種の情報に基づいて前記制御部１１によって生成されて表示される。
【００６０】
図８は、前記処方鑑査画面Ｐ１の一例を示す図である。図８に示されるように、前記処方鑑査画面Ｐ１には、前記処方データの内容が表示されている。前記処方鑑査画面Ｐ１には、患者の情報が表示される患者情報表示領域Ａ１１、前記処方データに関する情報が表示される処方情報表示領域Ａ１２、及び前記患者に処方される薬品に関する情報が表示される処方薬品表示領域Ａ１３が含まれる。
【００６１】
前記患者情報表示領域Ａ１１には、例えば、患者コード、患者名、性別、生年月日、年齢、身長、体重、体表面積などの情報が表示される。前記処方情報表示領域Ａ１２には、例えば、処方箋区分、処方番号、オーダー番号、実施日、発行日時、診療科、病棟（病室）、医師氏名などの情報が表示される。前記処方薬品表示領域Ａ１３には、前記患者に処方される複数の薬品の薬品名が一覧表示される。すなわち、前記処方鑑査画面Ｐ１には、前記処方データごとに、前記患者に処方される複数の薬品の薬品名が一覧表示される。また、前記処方薬品表示領域Ａ１３には、前記薬品ごとに、例えば、用法、用量、日数、総量、パターン、形体、包装、薬袋、備考などの情報が表示される。なお、図８に示される前記処方鑑査画面Ｐ１に表示されている情報は単なる一例に過ぎず、他の実施形態では、これらの情報の一部のみが表示されてもよい。
【００６２】
図９は、前記薬歴画面Ｐ２の一例を示す図である。図９に示されるように、前記薬歴画面Ｐ２には、前記処方データに対応する患者の薬歴が表示されている。前記薬歴画面Ｐ２には、患者の情報が表示される患者情報表示領域Ａ２１、前記患者に投与された薬品に関する情報が表示される投与薬品表示領域Ａ２２、前記患者に実施した検査に関する情報が表示される検査情報表示領域Ａ２３、及び前記患者の予定等の情報が表示される予定情報表示領域Ａ２４が含まれる。
【００６３】
前記患者情報表示領域Ａ２１には、例えば、患者コード、患者名、性別、年齢、身長、体重、体表面積、ＢＭＩ、妊婦・授乳婦、病棟、病室、診療科、入院日、退院日、担当薬剤師などの情報が表示される。前記投与薬品表示領域Ａ２２には、前記患者に投与された複数の薬品の薬品名が一覧表示される。すなわち、前記薬歴画面Ｐ２には、患者ごとに、前記患者に処方される複数の薬品の薬品名が一覧表示される。また、前記投与薬品表示領域Ａ２２には、前記薬品ごとに、例えば、用法、手法、一日量、単位、診療科、投与日、各投与日における投与回数などの情報が表示される。前記検査情報表示領域Ａ２３には、前記患者に実施した検査の検査項目が一覧表示される。また、前記検査情報表示領域Ａ２３には、前記検査項目ごとに、例えば、Ｍｉｎ（検査値の正常範囲の下限値）、Ｍａｘ（検査値の正常範囲の上限値）、検査日、各検査日における検査値などの情報が表示される。前記予定情報表示領域Ａ２４には、患者予定、処方情報、指導予定などの予定を示す情報が表示される。なお、図９に示される前記薬歴画面Ｐ２に表示されている情報は単なる一例に過ぎず、他の実施形態では、これらの情報の一部のみが表示されてもよい。
【００６４】
＜ステップＳ１３＞
ステップＳ１３において、前記制御部１１は、前記特定画面に一覧表示される複数の薬品の各々について、前記薬品に関連する疑義照会の事例の件数を取得する。具体的に、前記制御部１１は、前記疑義照会明細情報Ｄ１５を参照して、前記薬品に関連する疑義照会の事例の件数を前記薬品ごとに取得する。例えば、「Ａ薬品」に関連する疑義照会の事例の件数を取得する場合、前記制御部１１は、前記疑義照会明細情報Ｄ１５の中から「Ａ薬品」の薬品コードである「Ａ０１」を含むレコードを抽出し、抽出されたレコード数をカウントする。
【００６５】
＜ステップＳ１４＞
ステップＳ１４において、前記制御部１１は、前記ステップＳ１３で前記薬品ごとに取得された疑義照会の事例の件数に基づいて、前記薬品が前記第１要注意薬品であるか否かを前記薬品ごとに判定する。例えば、前記制御部１１は、或る薬品に関連する疑義照会の事例の件数が前記判定閾値（例えば、２件）以上である場合に、前記薬品が前記第１要注意薬品であると判定する。なお、他の実施形態では、前記制御部１１は、前記薬品を処方した医師、前記薬品に関連する疑義照会の事例の危険度などの情報に基づいて、前記薬品が前記第１要注意薬品であるか否かを判定してもよい。
【００６６】
＜ステップＳ１５＞
ステップＳ１５において、前記制御部１１は、前記特定画面において、前記第１要注意薬品の薬品名に対応する位置に前記第１アイコンＫ１１を表示する。例えば、図８に示される前記処方鑑査画面Ｐ１では、前記第１要注意薬品であると判定された「Ａ薬品」、「マイスリー５ｍｇ」、及び「Ｅ薬品」の各々について、対応する「注意」欄に前記第１アイコンＫ１１が表示されている。また、図９に示される前記薬歴画面Ｐ２では、前記第１要注意薬品であると判定された「Ａ薬品」の「薬品名」欄に前記第１アイコンＫ１１が表示されている。このように、本実施形態では、前記第１要注意薬品の薬品名に対応する位置に前記第１アイコンＫ１１が表示される。したがって、例えば処方鑑査の場面において、薬剤師などの医療スタッフは、前記処方鑑査画面Ｐ１に含まれる複数の薬品の中から前記第１要注意薬品を容易に識別することができる。前記第１要注意薬品は、過去に疑義照会が行われた薬品であるため、当該第１要注意薬品を重点的にチェックすることによって、監査業務の精度を向上させることができると同時に、監査業務を効率良く実施することができる。また、例えば服役指導の場面において、看護師などの医療スタッフは、前記薬歴画面Ｐ２に含まれる複数の薬品の中から前記第１要注意薬品を容易に識別することができる。看護師などの医療スタッフにとって、前記第１アイコンＫ１１は、例えば患者に投与すべき薬剤を変更すべきか否かの判断の助けとなる有益な情報である。なお、前記制御部１１は、図８に示される「Ｃ薬品」のように、すでに疑義照会済みである薬品については、前記第１要注意薬品であると判定された場合であっても、前記第１アイコンＫ１１の表示を省略してもよい。
【００６７】
＜ステップＳ１６＞
ステップＳ１６において、前記制御部１１は、前記特定画面に一覧表示される複数の薬品の各々について、前記薬品に関連するインシデントの事例の件数を取得する。具体的に、前記制御部１１は、前記インシデント事例データを参照して、前記薬品に関連するインシデントの事例の件数を前記薬品ごとに取得する。例えば、「Ａ薬品」に関連する疑義照会の事例の件数を取得する場合、前記制御部１１は、前記インシデント事例データの中から「Ａ薬品」の薬品コードである「Ａ０１」を含むレコードを抽出し、抽出されたレコード数をカウントする。
【００６８】
＜ステップＳ１７＞
ステップＳ１７において、前記制御部１１は、前記ステップＳ１６で前記薬品ごとに取得されたインシデントの事例の件数に基づいて、前記薬品が前記第２要注意薬品であるか否かを前記薬品ごとに判定する。例えば、前記制御部１１は、或る薬品に関連するインシデントの事例の件数が前記判定閾値（例えば、２件）以上である場合に、前記薬品が前記第２要注意薬品であると判定する。なお、他の実施形態では、前記制御部１１は、前記薬品を処方した医師、前記薬品に関連するインシデントの事例の危険度などの情報に基づいて、前記薬品が前記第２要注意薬品であるか否かを判定してもよい。
【００６９】
＜ステップＳ１８＞
ステップＳ１８において、前記制御部１１は、前記特定画面において、前記第２要注意薬品の薬品名に対応する位置に前記第２アイコンＫ１２を表示する。例えば、図８に示される前記処方鑑査画面Ｐ１では、前記第２要注意薬品であると判定された「マイスリー５ｍｇ」、「Ｃ薬品」、及び「リューマトレックス」の各々について、対応する「注意」欄に前記第２アイコンＫ１２が表示されている。また、図９に示される前記薬歴画面Ｐ２では、前記第２要注意薬品であると判定された「抗癌剤」の「薬品名」欄に前記第２アイコンＫ１２が表示されている。このように、本実施形態では、前記第２要注意薬品の薬品名に対応する位置に前記第２アイコンＫ１２が表示される。したがって、例えば薬品取り揃えの場面において、薬剤師又は看護師などの医療スタッフは、前記処方鑑査画面Ｐ１又は前記薬歴画面Ｐ２に含まれる複数の薬品の中から前記第２要注意薬品を容易に識別することができる。よって、薬剤師又は看護師などの医療スタッフは、例えば、名称が類似している薬品との取り間違いが過去に起こっている薬品を要注意薬品として容易に識別することができ、薬品の取り間違いを未然に防止することができる。
【００７０】
なお、前記制御部１１は、前記特定画面に表示されている患者名に関連する「患者間違い（同姓同名）」のインシデントの事例が前記インシデント事例データに含まれている場合に、図８又は図９に示されるように前記患者名に対応する位置に前記第２アイコンＫ１２を表示してもよい。これにより、例えば服薬指導の場面において、看護師などの医療スタッフは、前記薬歴画面Ｐ２を見たときに、前記薬歴画面Ｐ２に含まれる患者名に関連する「患者間違い（同姓同名）」のインシデントの事例が存在していることを容易に認識することができる。よって、看護師などの医療スタッフは、患者に薬品を手渡す際に、間違って同姓同名の別の患者に薬品を手渡すことがないように注意を払うことができ、患者間違いを未然に防止することができる。
【００７１】
＜ステップＳ１９＞
ステップＳ１９において、前記制御部１１は、前記特定画面に表示されているいずれかの前記第１アイコンＫ１１の操作（例えば、クリック、タッチなど）が検知されたか否かを判断する。そして、いずれかの前記第１アイコンＫ１１の操作が検知されたと判断されると（Ｓ１９：Ｙｅｓ）、処理がステップＳ２０に移行する。一方、いずれの前記第１アイコンＫ１１の操作も検知されていないと判断されると（Ｓ１９：Ｎｏ）、処理がステップＳ２１に移行する。
【００７２】
＜ステップＳ２０＞
ステップＳ２０において、前記制御部１１は、操作された前記第１アイコンＫ１１に対応する薬品（前記第１要注意薬品）に関連する疑義照会の事例に関する画面を表示させる。例えば、前記制御部１１は、「Ａ薬品」に対応する前記第１アイコンＫ１１が操作されたことに応じて、図１０に示されるような疑義照会件数画面Ｐ３を前記表示装置２４又は前記表示装置１４に表示させてもよい。図１０に示される前記疑義照会件数画面Ｐ３には、「Ａ薬品」に関連する疑義照会の事例の件数が、エラー内容と病名と対処方法の組み合わせごとに、件数が多い順に表示されている。これにより、薬剤師などのユーザーは、「Ａ薬品」に関連して過去にどのようなエラー内容の疑義照会が行われたか、及び、そのエラー内容についてどの疾患の患者に対してどのような対処が行われたかを容易に確認することができる。また、件数が多い順に表示されるので、ユーザーは、どのような対処方法が多く採用されたのかを容易に把握することができる。
【００７３】
具体的に、前記制御部１１は、前記疑義照会明細情報Ｄ１５に基づいて前記疑義照会件数画面Ｐ３を表示させる。例えば、前記制御部１１は、前記疑義照会明細情報Ｄ１５の中から、操作された前記第１アイコンＫ１１に対応する薬品の薬品コードを含むレコードを抽出し、抽出されたレコードの件数を、予め定められた項目別（条件別）にカウントする。なお、前記項目又は条件は、ユーザーが任意に変更可能であってもよい。そして、前記制御部１１は、前記項目別の件数を、例えば件数が多い順に並べ替えた上で、前記疑義照会件数画面Ｐ３に表示する。
【００７４】
なお、前記疑義照会件数画面Ｐ３は、前記ステップＳ２０で表示される画面の単なる一例に過ぎず、前記ステップＳ２０において他の画面が表示されてもよい。例えば、前記制御部１１は、操作された前記第１アイコンＫ１１に対応する薬品（前記第１要注意薬品）に関連する疑義照会の全ての事例を一覧表示した画面を前記表示装置２４又は前記表示装置１４に表示させてもよい。
【００７５】
なお、前記ステップＳ２０において、前記制御部１１は、操作された前記第１アイコンＫ１１に対応する薬品（前記第１要注意薬品）に関連する疑義照会の事例に関する画面として、ユーザー操作に応じて複数の画面を順次に表示させてもよい。例えば、前記制御部１１は、前記疑義照会件数画面Ｐ３に表示されているいずれかの項目（条件）が選択されたことに応じて、図１１に示されるような疑義照会一覧画面Ｐ４を表示させてもよい。図１１に示される前記疑義照会一覧画面Ｐ４は、図１０において上から１番目に表示されている項目（条件）、すなわち、エラー内容が「Ａ薬品とＢ薬品で相互作用エラー」であり病名が「ＸＸＸ疾患」であり対処方法が「Ａ薬品をＡＡ薬品に変更」である項目（条件）が選択された場合の前記疑義照会一覧画面Ｐ４の一例を示している。前記疑義照会一覧画面Ｐ４では、選択された項目（条件）に該当する疑義照会の事例が一覧表示されている。さらに、前記制御部１１は、前記疑義照会一覧画面Ｐ４に一覧表示されている疑義照会の事例の中からいずれか１つの事例が選択されたことに応じて、選択された疑義照会の事例に対応する前記疑義照会記録画面Ｐ５を表示させてもよい。図１２に示される前記疑義照会記録画面Ｐ５は、図１１において上から２番目に表示されている疑義照会の事例が選択された場合の前記疑義照会記録画面Ｐ５の一例を示している。
【００７６】
図１２は、前記疑義照会記録画面Ｐ５の一例を示す図である。前記疑義照会記録画面Ｐ５は、薬剤師が医師に対して疑義照会を行う際に各種情報を入力するための画面であるのと同時に、過去に行われた疑義照会の内容を確認するための画面でもある。図１２に示されるように、前記疑義照会記録画面Ｐ５には、例えば、エラー内容欄Ｒ１１、キーワード欄Ｒ１２、危険度欄Ｒ１３、因子欄Ｒ１４、コメント欄Ｒ１５、変更前薬品欄Ｒ１６、変更後薬品欄Ｒ１７などが含まれる。
【００７７】
前記エラー内容欄Ｒ１１には、前記処方チェックおいて検出されたエラー内容が表示される。前記キーワード欄Ｒ１２には、疑義照会時に薬剤師によって入力されたキーワードが表示される。前記キーワードは、疑義照会の事例の検索処理などで用いられる。前記危険度欄Ｒ１３には、疑義照会が行われたエラーについての危険度（重要度）を示す数値が表示される。前記因子欄Ｒ１４には、前記エラーの要因となった薬品の薬品名が表示される。前記コメント欄Ｒ１５には、疑義照会を行った薬剤師のコメントが表示される。前記変更前薬品欄Ｒ１６には、疑義照会の結果として薬品の変更が行われた場合に、変更前の薬品の薬品名が表示される。前記変更後薬品欄Ｒ１７には、疑義照会の結果として薬品の変更が行われた場合に、変更後の薬品の薬品名が表示される。なお、これらの各欄に表示される各種情報は、例えば疑義照会明細情報Ｄ１５に記憶されている。前記制御部１１は、前記疑義照会明細情報Ｄ１５に基づいて、前記疑義照会記録画面Ｐ５を表示させる。これにより、ユーザーは、過去に行われた疑義照会の内容を確認することができる。また、ユーザーは、前記疑義照会記録画面Ｐ５に含まれている各欄のデータを必要に応じてコピーして、新たな疑義照会のために利用することも可能である。これにより、新たな疑義照会のための前記疑義照会記録画面Ｐ５へのデータ入力の手間が大幅に軽減される。
【００７８】
＜ステップＳ２１＞
ステップＳ２１において、前記制御部１１は、前記特定画面に表示されているいずれかの前記第２アイコンＫ１２の操作（例えば、クリック、タッチなど）が検知されたか否かを判断する。そして、いずれかの前記第２アイコンＫ１２の操作が検知されたと判断されると（Ｓ２１：Ｙｅｓ）、処理がステップＳ２２に移行する。一方、いずれの前記第２アイコンＫ１２の操作も検知されていないと判断されると（Ｓ２１：Ｎｏ）、処理がステップＳ２３に移行する。
【００７９】
＜ステップＳ２２＞
ステップＳ２２において、前記制御部１１は、操作された前記第２アイコンＫ１２に対応する薬品（前記第２要注意薬品）に関連するインシデントの事例に関する画面を表示させる。例えば、前記制御部１１は、「マイスリー５ｍｇ」に対応する前記第２アイコンＫ１２が操作されたことに応じて、図１３に示されるようなインシデント件数画面Ｐ６を前記表示装置２４又は前記表示装置１４に表示させてもよい。図１３に示される前記インシデント件数画面Ｐ６には、「マイスリー５ｍｇ」に関連するインシデントの事例の件数が、エラー内容と危険度の組み合わせごとに、件数が多い順に表示されている。これにより、薬剤師などのユーザーは、「マイスリー５ｍｇ」に関連して過去にどのようなエラー内容及び危険度のインシデントが報告されているのかを容易に確認することができる。また、件数が多い順に表示されるので、ユーザーは、どのような危険度のインシデントが多く報告されているのかを容易に把握することができる。
【００８０】
具体的に、前記制御部１１は、前記インシデント事例データに基づいて前記インシデント件数画面Ｐ６を表示させる。例えば、前記制御部１１は、前記インシデント事例データの中から、操作された前記第２アイコンＫ１２に対応する薬品の薬品コードを含むレコードを抽出し、抽出されたレコードの件数を、予め定められた項目別（条件別）にカウントする。なお、前記項目又は条件は、ユーザーが任意に変更可能であってもよい。そして、前記制御部１１は、前記項目別の件数を、例えば件数が多い順に並べ替えた上で、前記インシデント件数画面Ｐ６に表示する。
【００８１】
なお、前記インシデント件数画面Ｐ６は、前記ステップＳ２２で表示される画面の単なる一例に過ぎず、前記ステップＳ２２において他の画面が表示されてもよい。例えば、前記制御部１１は、操作された前記第２アイコンＫ１２に対応する薬品（前記第２要注意薬品）に関連するインシデントの全ての事例を一覧表示した画面を前記表示装置２４又は前記表示装置１４に表示させてもよい。
【００８２】
なお、前記ステップＳ２２において、前記制御部１１は、操作された前記第２アイコンＫ１２に対応する薬品（前記第２要注意薬品）に関連するインシデントの事例に関する画面として、ユーザー操作に応じて複数の画面を順次に表示させてもよい。例えば、前記制御部１１は、前記インシデント件数画面Ｐ６に表示されているいずれかの項目（条件）が選択されたことに応じて、選択された項目（条件）に該当するインシデントの事例を一覧表示するインシデント一覧画面（不図示）を表示させてもよい。さらに、前記制御部１１は、前記インシデント一覧画面に一覧表示されているインシデントの事例の中からいずれか１つの事例が選択されたことに応じて、選択されたインシデントの事例に対応するインシデント記録画面（不図示）を表示させてもよい。前記インシデント記録画面は、薬剤師又は看護師等がインシデントを報告する際に各種情報を入力するための画面であるのと同時に、過去に報告されたインシデントの内容を確認するための画面でもある。前記インシデント記録画面には、例えば、エラー内容、キーワード、危険度、報告者コメントなどの情報が表示される。
【００８３】
＜ステップＳ２３＞
ステップＳ２３において、前記制御部１１は、他の画面（すなわち、前記特定画面以外の画面）への切り替え操作が検知されたか否かを判断する。そして、前記他の画面への切り替え操作が行われたと判断されると（Ｓ２３：Ｙｅｓ）、処理が前記ステップＳ１に戻る。一方、前記他の画面への切り替え操作が行われていないと判断されると（Ｓ２３：Ｎｏ）、処理が前記ステップＳ１９に戻る。
【００８４】
以上説明したように、前記薬剤業務支援システム１０では、前記疑義照会明細情報Ｄ１５に基づいて前記第１要注意薬品が判定され、前記第１要注意薬品の薬品名に対応する位置に前記第１アイコンＫ１１が表示される。したがって、薬剤師などのユーザーは、前記特定画面に含まれる複数の薬品の中から前記第１要注意薬品を容易に識別することができる。また、前記薬剤業務支援システム１０では、前記インシデント事例データに基づいて前記第２要注意薬品が判定され、前記第２要注意薬品の薬品名に対応する位置に前記第２アイコンＫ１２が表示される。したがって、薬剤師などのユーザーは、前記特定画面に含まれる複数の薬品の中から前記第２要注意薬品を容易に識別することができる。
【００８５】
また、前記薬剤業務支援システム１０では、前記特定画面において、前記第１要注意薬品及び前記第２要注意薬品が小さいアイコン（例えば、薬品名を示す文字列の１文字分又は２文字分程度の大きさのアイコン）によって示される。よって、前記特定画面のように複数の薬品の情報を含むたくさんの情報が表示される画面においても視認性の低下が抑制され、薬剤業務の作業効率を良好に維持することができる。
【００８６】
また、前記薬剤業務支援システム１０では、特定の患者に処方された薬品の薬品識別情報の一覧が表示される処方鑑査画面Ｐ１において、要注意薬品に対応する位置にアイコンが表示される。これにより、ユーザーは、患者に処方された全薬品の把握と要注意薬品の有無の確認とを一画面でできる。よって、ユーザーは、画面の切り替え等をしなくても、全薬品についての鑑査に加え、要注意薬品について特に気を配った鑑査を実施することができる。
【００８７】
また、前記薬剤業務支援システム１０では、前記第１アイコンＫ１１が操作されたことに応じて疑義照会の事例に関する情報が表示される。よって、薬剤師などのユーザーは、前記第１要注意薬品に関連する疑似照会の事例に関する情報を必要に応じて簡単に確認することができるので、薬剤業務の作業効率が向上する。また、前記薬剤業務支援システム１０では、前記第２アイコンＫ１２が操作されたことに応じてインシデントの事例に関する情報が表示される。よって、薬剤師などのユーザーは、前記第１要注意薬品に関連する疑似照会の事例に関する情報を必要に応じて簡単に確認することができるので、薬剤業務の作業効率が向上する。
【００８８】
なお、前記薬剤業務支援システム１０では、前記第１要注意薬品を示す前記第１アイコンＫ１１と前記第２要注意薬品を示す前記第２アイコンＫ１２との両方が前記特定画面に表示されるが、本発明はこれに限定されない。他の実施形態では、前記第１アイコンＫ１１及び前記第２アイコンＫ１２のいずれか一方のみが前記特定画面に表示されてもよい。前記第１アイコンＫ１１のみが前記特定画面に表示される場合には、前記ステップＳ１６〜Ｓ１８、及び前記ステップＳ２１〜Ｓ２２の処理は省略されてもよい。この場合、前記インシデント事例データは不要である。また、前記第２アイコンＫ１２のみが前記特定画面に表示される場合には、前記ステップＳ１３〜Ｓ１５、及び前記ステップＳ１９〜Ｓ２０の処理は省略されてもよい。この場合、前記疑義照会明細情報Ｄ１５は不要である。
【００８９】
［発明の付記］
以下、上述の実施形態から抽出される発明の技術的思想について付記する。また、以下に付記する各構成及び各処理機能を取捨選択して任意に組み合わせることも可能である。
【００９０】
＜付記１＞
過去の疑義照会の事例の情報が蓄積された疑義照会事例データ及び過去のインシデントの事例の情報が蓄積されたインシデント事例データの少なくとも一方の事例データに基づいて、複数の薬品の各々が要注意薬品であるか否かを判定する判定処理部と、
前記複数の薬品の薬品識別情報の一覧を含む画面を、前記要注意薬品の前記薬品識別情報と非要注意薬品の前記薬品識別情報とを識別可能な表示形態で表示部に表示させる表示処理部と、
を備える薬剤業務支援システム。
【００９１】
＜付記２＞
前記判定処理部は、前記薬品に関連する事例の件数に基づいて、前記薬品が前記要注意薬品であるか否かを判定する、
付記１に記載の薬剤業務支援システム。
【００９２】
＜付記３＞
前記判定処理部は、前記薬品を処方した医師に関連する事例の件数に基づいて、前記薬品が前記要注意薬品であるか否かを判定する、
付記１又は付記２に記載の薬剤業務支援システム。
【００９３】
＜付記４＞
前記判定処理部は、前記事例データに含まれる事例ごとの危険度を示す情報に基づいて、前記薬品が前記要注意薬品であるか否かを判定する、
付記１〜３のいずれかに記載の薬剤業務支援システム。
【００９４】
＜付記５＞
前記表示処理部は、前記要注意薬品の前記薬品識別情報を強調表示させる、
付記１〜４のいずれかに記載の薬剤業務支援システム。
【００９５】
＜付記６＞
前記表示処理部は、前記要注意薬品の前記薬品識別情報に対応する位置に、前記要注意薬品であることを示す報知画像を表示させる、
付記１〜５のいずれかに記載の薬剤業務支援システム。
【００９６】
＜付記７＞
前記判定処理部は、前記疑義照会事例データに基づいて第１要注意薬品を判定すると共に、前記インシデント事例データに基づいて第２要注意薬品を判定し、
前記表示処理部は、前記第１要注意薬品の前記薬品識別情報に対応する位置に、前記第１要注意薬品であることを示す第１報知画像を表示させると共に、前記第２要注意薬品の前記薬品識別情報に対応する位置に、前記第２要注意薬品であることを示す第２報知画像を表示させる、
付記６に記載の薬剤業務支援システム。
【００９７】
＜付記８＞
前記画面が、患者に処方又は投与される一又は複数の薬品の薬品識別情報の一覧を含む画面であり、
前記表示処理部は、疑義照会済みの薬品については、前記薬品が前記第１要注意薬品であったとしても前記第１報知画像を表示させない、
付記７に記載の薬剤業務支援システム。
【００９８】
＜付記９＞
前記表示処理部は、前記報知画像が操作されたことに応じて、前記要注意薬品に関連する疑義照会又はインシデントの事例に関する情報を前記表示部に表示させる、
付記６〜８のいずれかに記載の薬剤業務支援システム。
【００９９】
＜付記１０＞
前記表示処理部は、前記報知画像が操作されたことに応じて、前記要注意薬品に関連する疑義照会又はインシデントの事例の件数を表示させる、
付記９に記載の薬剤業務支援システム。
【０１００】
＜付記１１＞
前記表示処理部は、前記要注意薬品に関連する疑義照会又はインシデントの事例の件数を予め定められた項目別に表示させる、
付記１０に記載の薬剤業務支援システム。
【０１０１】
＜付記１２＞
前記表示処理部は、前記報知画像が操作されたことに応じて、前記要注意薬品に関連する疑義照会又はインシデントの事例に関する情報を前記表示部に表示させると共に、当該操作された前記報知画像を前記画面から削除する、
付記９〜１１のいずれかに記載の薬剤業務支援システム。
【０１０２】
＜付記１３＞
前記表示処理部は、前記第１報知画像が操作されたことに応じて、前記第１要注意薬品に関連する疑義照会の事例において実施された対処方法を前記表示部に表示させる、
付記７又は付記８に記載の薬剤業務支援システム。
【０１０３】
＜付記１４＞
前記画面が、特定の患者に処方された薬品の薬品識別情報の一覧が表示される処方鑑査画面、又は特定の患者に投与される薬品の薬品識別情報の一覧が表示される薬歴画面である、
付記１〜１３のいずれかに記載の薬剤業務支援システム。
【０１０４】
＜付記１５＞
特定の患者に対する処方内容を示す処方データに含まれる複数の薬品の薬品識別情報の一覧を含む画面を表示部に表示させる表示処理部と、
過去に疑義照会が行われた薬品が登録されている疑義照会事例データ及び過去にインシデントが発生した薬品が登録されているインシデント事例データの少なくとも一方の事例データに基づいて、前記複数の薬品の各々が要注意薬品であるか否かを判定する判定処理部とを備え、
前記表示処理部は、前記要注意薬品の前記薬品識別情報と非要注意薬品の前記薬品識別情報とを識別可能な表示形態で前記画面を前記表示部に表示させる、
薬剤業務支援システム。
【０１０５】
＜付記１６＞
一又は複数のコンピュータに、
複数の薬品の各々について、過去の疑義照会の事例の情報が蓄積された疑義照会事例データ及び過去のインシデントの事例の情報が蓄積されたインシデント事例データの少なくとも一方の事例データに基づいて、前記薬品が要注意薬品であるか否かを判定する処理と、
前記複数の薬品の薬品識別情報の一覧を含む画面を、前記要注意薬品の前記薬品識別情報と非要注意薬品の前記薬品識別情報とを識別可能な表示形態で表示部に表示させる処理と、
を実行させるための薬剤業務支援プログラム。
【０１０６】
＜付記１７＞
複数の薬品の各々について、過去の疑義照会の事例の情報が蓄積された疑義照会事例データ及び過去のインシデントの事例の情報が蓄積されたインシデント事例データの少なくとも一方の事例データに基づいて、前記薬品が要注意薬品であるか否かを判定することと、
前記複数の薬品の薬品識別情報の一覧を含む画面を、前記要注意薬品の前記薬品識別情報と非要注意薬品の前記薬品識別情報とを識別可能な表示形態で表示部に表示させることと、
を含む薬剤業務支援方法。
【符号の説明】
【０１０７】
１  ：サーバー
１１：制御部
１２：記憶部
１３：通信Ｉ／Ｆ
１４：操作装置
１５：表示装置
１６：ドライブ装置
２  ：クライアント端末
２１：制御部
２２：記憶部
２３：通信Ｉ／Ｆ
２４：操作装置
２５：表示装置
２６：ドライブ装置
３  ：調剤機器
４  ：プリンター
５  ：通信網
６  ：上位システム
１０：薬剤業務支援システム
【図１】
2019021269.tif 000003
【図２】
2019021269.tif 000004
【図３】
2019021269.tif 000005
【図４】
2019021269.tif 000006
【図５】
2019021269.tif 000007
【図６】
2019021269.tif 000008
【図７】
2019021269.tif 000009
【図８】
2019021269.tif 000010
【図９】
2019021269.tif 000011
【図１０】
2019021269.tif 000012
【図１１】
2019021269.tif 000013
【図１２】
2019021269.tif 000014
【図１３】
2019021269.tif 000015